(57)【要約】【課題】  本発明は、装置のコンパクト化が容易に実現すると共に、安全性並びに操作性に優れたスイッチ構造を備えた電動ミキサーを提供する。【解決手段】  駆動モータを内装し、回転駆動される出力コネクタ１４を突設した本体１と、受動コネクタと回転刃２５を設けた破砕体２と、破砕体に被冠装着される蓋容器体３とを備え、本体の上部に破砕体２の収納空間１３を形成すると共に、収納空間の内周壁に縦ガイド部１３２を形成し、周壁の上端面に駆動モータの作動を制御するスイッチ操作部（開口部１６３）を設け、破砕体の容器部分の外周面にはガイド部２１１を設け、蓋容器体が、破砕体に被冠装着する透明容器体部３１と、透明容器体部に下方外周に回動可能に遊嵌し、且つスイッチ操作部を動作せしめる作用部を有するリング体部３２とで構成している。【選択図】図１
2005177126.tif 000002
【特許請求の範囲】
【請求項１】
駆動モータを内装し、回転駆動される出力コネクタを突設した本体と、前記出力コネクタと噛合する受動コネクタを下方に突設した容器部分の内底に、受動コネクタと連結された回転刃を設けた破砕体と、前記破砕体に被冠装着される蓋容器体とを備えてなる電動ミキサーにおいて、
本体の上部に破砕体の収納空間を形成すると共に、収納空間の内周壁に縦ガイド部を形成し、前記周壁の上端面に駆動モータの作動を制御するスイッチ操作部を設け、破砕体の容器部分の外周面に前記縦ガイド部と対応するガイド部を設け、蓋容器体が、前記破砕体の容器部分に被冠装着する透明容器体部と、前記透明容器体部の下方外周に、任意に回動できるように遊嵌し、且つ透明容器体部を破砕体に装着した際に、前記収納空間周壁上端に対応する形状で且つスイッチ操作部を動作せしめる作用部を有するリング体部とで構成されていることを特徴とする電動ミキサー。
【請求項２】
破砕体の容器部内周面と蓋容器体の下方部外周面にネジ溝を形成して、破砕体に蓋容器体を螺合装着してなる請求項１記載の電動ミキサー。
【請求項３】
本体の収納空間内周壁の上端面に開口部を設け、スイッチ操作部を棒状部材で形成して、前記開口部内にスイッチ操作部の頂点を非突出状態で配置し、リング体部の作用部を前記開口部に挿入可能とした突部としてなる請求項１又は２記載の電動ミキサー。
【請求項４】
本体の収納空間内の出力コネクタの周囲部分に、破砕体が載置されると共に、載置状態で作用部によるスイッチ操作部の動作がなされず、出力コネクタに受動コネクタが完全に噛合し、且つ作用部による操作部の動作がなされる位置まで下方移動可能なクッション台部を設けてなる請求項１乃至３記載のいずれかの電動ミキサー。
【発明の詳細な説明】
【技術分野】
【０００１】
本発明は、主として食品の粉砕に使用する電動ミキサーに関するものである。
【背景技術】
【０００２】
食品を回転刃で細かく粉砕する電動ミキサーは従前より種々の形式のものが知られている。本発明は特に駆動モータを内装し、回転駆動される出力コネクタを突設した本体と、前記出力コネクタと噛合する受動コネクタを下方に突設した容器部分の内底に、受動コネクタと連結された回転刃を設けた破砕体と、前記破砕体に被冠装着される蓋容器体とを備えてなる構造の電動ミキサーに係るものである。
【０００３】
前記の電動ミキサーは、破砕対象の食品を破砕体の容器部分に収納して、蓋容器体を破砕体に装着したり、又は逆さにした蓋容器体に食品を収納して、破砕体を蓋容器体に装着して食品の封入し、この状態で本体の出力コネクタと破砕体の受動コネクタとの噛合による回転刃の回転駆動によって、食品の破砕を行うものである。
【０００４】
前記の駆動モータの作動が安全に行われるように、特に従前機器においては破砕体等の装着に対応して駆動モータのスイッチが入るような構造を採用している。
【０００５】
例えば特公昭６０−３５１３３号公報（特許文献１）には、破砕体に蓋容器体を単に被冠し、この被冠装着した際に、蓋容器体の４本の脚部が破砕体より下方に突出し、本体に設けたスイッチ板操作用の孔部に前記脚部を挿入してスイッチを操作する構造が開示されている。
【０００６】
また実公平６−４２５８９号公報（特許文献２）には、蓋容器体を破砕体に装着し、更に破砕体を本体に装着して出力コネクタと受動コネクタとを噛合しても駆動モータが作動せずに、別にスイッチ操作部を備えた容器カバーを備え、容器カバーを本体に装着することでスイッチが動作する構造が開示されている。
【０００７】
また特開平６−２６９３６５号公報（特許文献３）には、前記特許文献２開示のカバーに代えて蓋容器体の上方部分を覆う外蓋を採用し、蓋容器体の側面に立設するスイッチ操作部を本体に設け、前記外蓋でスイッチ操作部の動作を行うようにしている構造が開示されている。
【０００８】
更に特許第２９２３９４２号公報（特許文献４）には、蓋容器体を内蓋と、押圧突起を有する押圧片（スイッチ操作部）と、上蓋とで構成し、内蓋を被冠装着した破砕体を本体に装着した後に、上蓋でスイッチ操作部を動作させる構造が開示されている。
【０００９】
【特許文献１】特公昭６０−３５１３３号公報。
【特許文献２】実公平６−４２５８９号公報。
【特許文献３】特開平６−２６９３６５号公報。
【特許文献４】特許第２９２３９４２号公報。
【発明の開示】
【発明が解決しようとする課題】
【００１０】
前記した従前の電動ミキサーのスイッチ構造は、大きな部材の増加を伴っており、このため製造コストの問題や、装置のコンパクト化の阻害要を抱えている。また操作性についても問題を抱えている。
【００１１】
即ち特許文献１記載のスイッチ構造は、蓋容器体を誤って外す虞があり、安全性に問題がある。更に４脚の操作孔への同時差し入れ操作が煩雑である。
【００１２】
特許文献２、３、４記載のスイッチ構造は、わざわざカバー部材や外蓋を別に設けることで部材の増加を伴うと共に、カバー部材や外蓋の装着範囲の分だけ装置全体を嵩張らせることになり、結果的に食品粉砕のための収納箇所となる破砕体及び蓋容器体の容積が小さくなってしまう。
【００１３】
特に特許文献３記載の装置は、本体にスイッチ操作部用の側柱部を形成しており、装置全体のコンパクト化の阻害要因となっているし、外蓋をせずにスイッチが誤って操作されると、内蓋が飛散してしまう虞がある。
【００１４】
また特許文献４記載の装置は、上蓋を装着しない状態では、スイッチ操作部が露出しているので、誤ってスイッチが入ってしまう虞がある。
【００１５】
そこで本発明は、装置のコンパクト化が容易に実現すると共に、安全性並びに操作性に優れたスイッチ構造を備えた電動ミキサーを提案したものである。
【課題を解決するための手段】
【００１６】
本発明（請求項１）は、駆動モータを内装し、回転駆動される出力コネクタを突設した本体と、前記出力コネクタと噛合する受動コネクタを下方に突設した容器部分の内底に、受動コネクタと連結された回転刃を設けた破砕体と、前記破砕体に被冠装着される蓋容器体とを備えてなる電動ミキサーにおいて、本体の上部に破砕体の収納空間を形成すると共に、収納空間の内周壁に縦ガイド部を形成し、前記周壁の上端面に駆動モータの作動を制御するスイッチ操作部を設け、破砕体の容器部分の外周面に前記縦ガイド部と対応するガイド部を設け、蓋容器体が、前記破砕体の容器部分に被冠装着する透明容器体部と、前記透明容器体部の下方外周に、任意に回動できるように遊嵌し、且つ透明容器体部を破砕体に装着した際に、前記収納空間周壁上端に対応する形状で且つスイッチ操作部を動作せしめる作用部を有するリング体部とで構成されていることを特徴とするものである。
【００１７】
従って食品を破砕体の容器部分又は蓋容器体に収納し、蓋容器体を被冠装着して破砕体と一体化した状態で、破砕体を収納空間にガイド部に添って差し入れると共に、リング体を所定の回動位置とし、作用部でスイッチ操作部を動作させると、破砕体の回転刃を駆動して食品を破砕するものである。そして破砕体（蓋容器体と一体）を収納空間から外すとスイッチがオフとなるものである。
【００１８】
また本発明（請求項２）は、前記構成において特に、破砕体の容器部内周面と蓋容器体の下方部外周面にネジ溝を形成して、破砕体に蓋容器体を螺合装着してなるもので、これによって破砕体と蓋容器体が簡単に離脱することがなく、安全性を高めるものである。
【００１９】
また本発明（請求項３）は、本体の収納空間内周壁の上端面に開口部を設け、スイッチ操作部を棒状部材で形成して、前記開口部内にスイッチ操作部の頂点を非突出状態で配置し、リング体部の作用部を前記開口部に挿入可能とした突部としてなる構成を採用したもので、リング体部の突部を開口部内に差し込まなければスイッチが入らない。従って誤ってスイッチ操作部に触れて駆動モータを回転させることがない。
【００２０】
更に本発明（請求項４）は、本体の収納空間内の出力コネクタの周囲部分に、破砕体の容器部が載置されると共に、載置状態で作用部によるスイッチ操作部の動作がなされず、出力コネクタに受動コネクタが完全に噛合し、且つ作用部による操作部の動作がなされる位置まで下方移動可能なクッション台部を設けてなる構成を採用してなり、破砕体（蓋容器体と一体）を収納空間に収納したのみでは装置が駆動されず、破砕体（蓋容器体と一体）を下方に押圧することで、両コネクタが接続され、且つスイッチが入り、破砕作動をなし、破砕体（蓋容器体と一体）の下圧を開放すると破砕動作が停止する。従って食品破砕のための装置操作が容易に且つ安全になされる。
【発明の効果】
【００２１】
本発明は、本体に収納空間を形成し、収納空間周壁の上端面にスイッチ操作部を設け、破砕体（蓋容器体と一体）を収納空間に収納して、回転刃駆動のためのコネクタの接続と同時に駆動モータのスイッチが入るようにしたもので、従前装置のようなカバー部材という大きな部材を必要としないので装置自体のコンパクト化が容易に実現することができ、且つ破砕体（蓋容器体と一体）の着脱のみでスイッチ操作がなされるので、操作性にも優れたものとなる。
【００２２】
また特に破砕体と蓋容器体の一体化に螺合構造（請求項２の発明）を採用することで、破砕体と蓋容器体との一体化が確実になされ、従前装置のような単なる嵌め合い構造のように使用時に外れる虞が全くなく、安全性を高めたものである。
【００２３】
また破砕体収納空間内周壁の上端面のスイッチ操作部を非突出状態で設けた構成（請求項３の発明）を採用すると、スイッチ操作部への誤操作がなく安全性が高められる。
【００２４】
また収納部空間内に破砕体を載置するクッション台部を設けてなる構成（請求項４の発明）を採用すると、蓋容器体と一体とした破砕体を収納空間に収納した状態で、更に破砕体（蓋容器体と一体）を下方に押圧しなければ作動しないので、安全であると共に操作性に優れている器具を提供できたものである。
【発明を実施するための最良の形態】
【００２５】
次に本発明の実施の形態について説明する。実施形態に示した電動ミキサーは、本体１と、破砕体２と蓋容器体３で構成される。
【００２６】
本体１は、所定のケース１１内に駆動モータ１２を内装し、上部に破砕体２の収納空間１３を備え、収納空間１３内に出力コネクタ１４とクッション台部１５を設け、前記駆動モータ１２の動作を制御するスイッチ操作部１６を設けてなるものである。
【００２７】
駆動モータ１２は、前記スイッチ操作部１６のマイクロスイッチ１６１を介して電源コード１２１と接続され、出力軸（回転軸）には出力コネクタ１４が軸装されているものである。
【００２８】
収納空間１３は、駆動モータ１２の上方に形成され、周壁部１３１の内周面に、溝に形成された縦ガイド部１３２が形成されている。
【００２９】
また前記収納空間１３内の中央底部には、上面が嵌合用山形形状に形成された出力コネクタ１４が突設されており、前記出力コネクタ１４を囲繞するようにクッション台部１５が設けられている。
【００３０】
クッション台部１５は、リング状の台座部１５１と、伸縮自在に設けた脚部１５２と、脚部１５２に付設して、台部１５１を上方に付勢してなる発条１５３で形成され、台座部１５１の上下移動の範囲は、後述する破砕体２を台座部１５１に単に載置した状態で、スイッチ操作部１６の動作がなされず、また破砕体２を下圧して出力コネクタ１４と受動コネクタ２４が完全に噛合した際に、スイッチ操作部１６が動作する下方位置となるようにしたものである。
【００３１】
スイッチ操作部１６は、駆動モータ１２の電源のオンオフをなすマイクロスイッチ１６１と、このマイクロスイッチ１６１を動作させる操作縦杆（棒状部材）１６２で構成され、操作縦杆１６２は所定の位置で上下動可能にケースに組み込まれたもので、その先端を、収納空間内１３の周壁の上端面に設けた開口部１６３に臨ませると共に、非突出状態で配置してなる。この開口部１６３を形成した周壁部１３１の頂部は僅かに凹ませて形成する。
【００３２】
破砕体２は、上部容器体部２１と、下部軸受収納体部２２と、回転軸部２３と、受動コネクタ２４と、回転刃２５とを備えてなる。
【００３３】
上部容器体部２１は、前記収納空間１３に収納される外径の容器形状で、外周面に縦ガイド部１３２と対応するガイド部（突部）２１１を設け、内周面にはネジ溝２１２を周設し、内周面直下にパッキン２１３を装着し、更に底面中央に回転軸部２３の軸孔を穿設してなる。
【００３４】
下部軸受収納体部２２は、前記上部容器体部２１の下方にネジなどで装着されるもので、中央部分に、上部を開口し底面に回転軸部２３の下端部が嵌合する軸孔を穿設した筒状の軸受収納部２２１を設けたものである。
【００３５】
回転軸部２３は、既存の筒状シールドボールベアリング軸受体（上下二段のボールベアリング軸受をカール筒で連結し、上下端を被覆して内部グリースの漏出を防止している構造）２３１に、回転軸２３２を挿着すると共に、前記軸受体２３１の上下にメカニカルシール部（ゴム質シールを金属薄板で被覆している）２３３を付設して、前記回転軸２３２を上下に突出せしめてなるものである。また突出した回転軸２３２にはネジを刻設してなる。
【００３６】
そして回転軸部２３を下部軸受収納体部２２の軸受収納部２２１に収納し、下部軸受収納体部２２を上部容器体部２１にネジ止めなどの手段で連結する。更に下部軸受収納体部２２の下方に突出した回転軸２３２に、出力コネクタ１４と噛合う形状の受動コネクタ２４を装着し、上部容器体部２１の底面に突出した回転軸２３２に回転刃２５を装着すると破砕体２が組上げられるものである。
【００３７】
蓋容器体３は、透明容器体部３１とリング体部３２とで構成され、透明容器体部３１はドーム形状で、下方外周に上部容器体部２１のネジ溝２１２と螺合するネジ溝３１１を周設したものであり、また下方外周適宜位置に、リング体部３２を装着する凹溝３１２を形成してなる。
【００３８】
リング体部３２は、本体１の周壁部１３１と対応する外径で、頂部を内方に折曲した形状として凹溝３１２に嵌合して、透明容器体部３１の下方に帯状に配置され、任意に回動できるように装着してなるもので、特に開口部１６３を形成した周壁部１３１の頂面の凹みと対応した形状とし、且つ当該箇所に開口部１６３に浸入可能な突部（作用部）３２１を設けたものである。
【００３９】
而して前記の電動ミキサーは、本体１と破砕体２と蓋容器体３の３個の部材で構成されるもので、その使用状態に関して次に説明する。
【００４０】
破砕対象となる食品は、少量の場合には破砕体２の上部容器体部２１に収納して蓋容器体３を螺合装着することができ、また大目の食品の場合には、逆さにした蓋容器体３内に入れ、その後破砕体２を螺合装着して、食品を一体化した破砕体２と蓋容器体３の内方に収納する。
【００４１】
特に破砕体２と蓋容器体３は螺合装着されるので、従前機器のような嵌合手段で連結しているものに比較して使用時に離脱することがない。
【００４２】
そして破砕対象を収納した破砕体２及び蓋容器体３（以下一体化した両者を「収納体」という）を手で持ち、破砕体２を収納空間１３に縦ガイド部１３２とガイド部２１１を嵌合させて差し入れる。この際にリング体部３２を回動操作して周壁部１３１の凹み箇所と突部３２１の箇所を対応させる。
【００４３】
単に収納体の破砕体２を収納空間１３に収納したのみでは、下部軸受体収納部２２がクッション台部１５に載置された状態で、且つ出力コネクタ１４と受動コネクタ２４は完全に噛合った状態ではなく、少し離れた状態となる。
【００４４】
そこで収納体の蓋容器体３を下方に押圧すると、収納体は僅かに下方に移動し、出力コネクタ１４と受動コネクタ２４とが完全に噛合い、同時に突部３２１が開口部１６３から侵入して操作縦杆１６２を下方に押し下げ、マイクロスイッチ１６１を動作させ、駆動モータ１２に通電されて、回転刃２５を回転駆動し、収納食品の粉砕を行うものである。
【００４５】
特に前記の破砕作動において、回転反力は縦ガイド部１３２とガイド部２１１との嵌合で抑えられと共に、従前機器のように放熱板を備えておらず、放熱板による回転振動などが発生する余地が無いので、効率的な破砕がなされる。
【００４６】
そして所望時間（破砕時間）収納体を軽く下圧して、充分な食品破砕を行い、加圧を開放すると、クッション台部１５の付勢力で収納体が押し上げられ、突部３２１によるスイッチオン状態が解除され、駆動モータ１２が停止する。
【００４７】
そこで収納体を取出し、逆さ状態で破砕体２を蓋容器体３から外すと、粉砕食品が蓋容器体３内に収まっており、後はこの粉砕食品を適宜な食器に移し変えたり、直接調理に供するようにするものである。
【図面の簡単な説明】
【００４８】
【図１】本発明の実施形態の全体斜視図。
【図２】同本体の説明図（一部切断した正面図）。
【図３】同破砕体の説明図（一部切断した正面図）。
【図４】同回転軸部の組み込み状態の説明図
【図５】同蓋容器体の説明図（一部切断した正面図）。
【図６】同スイッチ動作の説明図。
【符号の説明】
【００４９】
１        本体
１１      ケース
１２      駆動モータ
１３      収納空間
１３１      周壁部
１３２      縦ガイド部
１４      出力コネクタ
１５      クッション台部
１５１      台座部
１５２      脚部
１５３      発条
１６      スイッチ操作部
１６１      マイクロスイッチ
１６２      操作縦杆（棒状部材）
１６３      開口部
２        破砕体
２１      上部容器体部
２１１      ガイド部（突部）
２１２      ネジ溝
２１３      パッキン
２２      下部軸受収納体部
２２１      軸受収納部
２３      回転軸部
２３１      軸受体
２３２      回転軸
２３３      メカニカルシール部
２４      受動コネクタ
２５      回転刃
３        蓋容器体
３１      透明容器体部
３１１      ネジ溝
３１２      凹溝
３２      リング体部
３２１      突部（作用部）
【図１】
2005177126.tif 000003
【図２】
2005177126.tif 000004
【図３】
2005177126.tif 000005
【図４】
2005177126.tif 000006
【図５】
2005177126.tif 000007
【図６】
2005177126.tif 000008